(57)【特許請求の範囲】
【請求項１】
座部を有して一体に成形された床部と、座部に設けた地面に接するボルトを有するアングルと、壁と、扉と、天井と、壁面に取付けたシャワー装置とを備え、座部には点検開口を設けてこの点検開口を覆う弾力性のある部材を座部に脱着可能にして成るシャワールーム。
【請求項２】
シャワー装置の操作部を座部の側部に設けて構成される請求項１記載のシャワールーム。
【請求項３】
座部の下部空間に設備機器を設置する請求項１または２記載のシャワールーム。
【請求項４】
壁面に取付けたシャワー装置は、複数のノズルを有するアームおよび背面に設置した複数のノズルにより、座部に座った使用者の全身をミストで包み込むように構成された請求項１ないし３のいずれか１項記載のシャワールーム。
【発明の詳細な説明】
【０００１】
【発明の属する技術分野】
本発明は、座ってシャワーを浴びることができるシャワールームに関する。
【０００２】
【従来の技術】
シャワールームに関しては、特開平７−２７５１５０号公報に示されてるようなものが知られており、これは図５に示すように座部１を有したシャワー室の壁面２に複数の噴出ノズル３を配置し、この複数の噴出ノズル３より霧状の温水を噴出するようになっている。この従来のシャワールームでは、座部１は壁面に取付ける方法あるいは床面に椅子を置くという方法が用いられていた。
【０００３】
【発明が解決しようとする課題】
しかしながら、座部を壁面に取付ける場合は、座面に人の体重がかかるので、取付ける壁面の強度を強くする必要があるなどの課題があった。また、床面に椅子を置くという方式で、椅子の固定をしようとすると金具などを用いて固定しなくてはならず複雑な設計となる課題があった。
【０００４】
本発明は上記課題を解決し、快適に座ってシャワー浴ができるシャワールームを提供することを目的とする。
【０００５】
【課題を解決するための手段】
本発明は上記課題を解決するために、座部を有して一体に成形された床部と、座部に設けた地面に接するボルトを有するアングルと、壁と、扉と、天井と、壁面に取付けたシャワー装置とを備え、座部には点検開口を設けてこの点検開口を覆う弾力性のある部材を座部に脱着可能にしたものである。
【０００６】
上記発明によれば、座部を有し一体に成形された床部により、人が座った時の体重を床面で支えることになり、頑強な座部を提供することができ、シャワー装置のみ壁面に取付ける構成にすることにより、壁面の取付けに必要な構成も簡易化させることができ、また、臀部の座りごこちを良くすることができると共に、座部の掃除なども容易にでき、弾力性のある部材の耐久寿命が来た場合でも部材のみの交換で済ませられ、また、シャワールームの見栄えとして点検開口を目立たなくでき、施工の際の給水および給湯配管などの接続やサービスメンテナンスを点検開口から可能にできる。
【０００７】
【発明の実施の形態】
本発明の請求項１にかかる発明は、座部を有し一体に成形された床部と、座部に設けた地面に接するボルトを有するアングルと、壁と、扉と、天井と、壁面に取付けたシャワー装置とから構成したものである。
【０００８】
そして、座部を有し一体に成形された床部と、座部に設けた地面に接するボルトを有するアングルとにより、人が座った時の体重を支えることになり、頑強な座部を提供することができ、シャワー装置のみ壁面に取付ける構成にすることにより、壁部の取付けに必要な構成も簡易化させることができる。
【０００９】
また、弾力性のある部材を座部に脱着可能にしたことにより、臀部の座りごこちを良くすることができると共に、弾力性のある部材を脱着可能にすることにより座部の掃除なども容易にでき、弾力性のある部材の耐久寿命が来た場合でも、部材のみの交換で済ませられるという効果がある。
【００１０】
また、座部には点検開口を設けてこの点検開口を覆う弾力性のある部材を座部に脱着可能にしたので、シャワールームの見栄えとして点検開口を目立たなくすることができる。そして、施工の際の給水および給湯配管などの接続が、前記点検開口から可能になると共に、水漏れなどのサービスメンテナンスも点検開口より安易することが可能になる。
【００１１】
本発明の請求項２にかかる発明は、シャワー装置の操作部を座部の側部に設けて構成したものである。
【００１２】
そして、シャワールームにて、座った状態で、湯温や湯量の調節およびハンドシャワーへの切り替え等のシャワー浴に必要な操作が容易にできる。
【００１３】
本発明の請求項３にかかる発明は、座部の下部空間に設備機器を設置する構成とする。
【００１４】
そして、座部の下部空間は、使い道の無い無駄なスペースにすることなく、設備機器を配置することにより空間の有効利用が可能になる。
【００１５】
本発明の請求項４にかかる発明は、壁面に取付けたシャワー装置は、複数のノズルを有するアームおよび背面に設置した複数のノズルにより、座部に座った使用者の全身を温水ミストで包み込む構成とする。
【００１６】
そして、全身を温水ミストで包み込むように構成することにより、通常の浴槽入浴と同等の温熱効果が得られ、かつ水圧による身体への負担も少なく快適なシャワー浴をシャワールームにて実現できる。
【００１７】
【実施例】
以下、本発明について図面を用いて説明する。
（参考例１）図１にシャワールームの斜視図を示す。座部４を有する一体に成形された床部５と、壁６と扉７と天井８でシャワールームの外郭を構成する。壁６面にシャワー装置９を取付けることによりシャワールームを構成する。
【００１８】
床部５はＦＲＰで構成し、図１に示すように座部４と洗い場部１０と立ち面部１１を一体に成形し、洗い場部１０の中央部にシャワー排水の為のマスフタ１２を設けている。床部５は、６箇所のボルト５ａで地面と接する構成とする。床部５の壁６が立つ周囲の裏面は合成木材で補強し、洗い場部１０の裏面も平板の構成木材で補強する。座部は、約４０ｃｍ上方に位置するようにし、角バイプ５ｂでアングルを構成し、ボルト５ａで地面と接するように構成する。
【００１９】
このように構成した床部５に、壁６と扉７と天井８を組み立てることによりシャワールームを構成し、壁６面にシャワー装置９を取付ける。シャワールームに適時、照明１３や収納だな１４を設ける。
【００２０】
上述したように、座部４を有し一体に成形された床部５により、人が座った時の体重は床面で支えることになる。床面は、６箇所のボルト５ａで地面と接する構成としてあるので、頑強な座部４を提供することができる。そして、シャワー装置９の取り付けは、数箇所をフィッシャープラグで取付ける方法や、壁６の裏面に合板を貼り付けビスで取付けるなど簡易な構成で行う。
【００２１】
壁面に取付けるシャワー装置９は、８箇所のノズル９ａを有し、矢印Ａ方向に可動自在なアーム９ｂおよび背面に設置した４個所のノズル９ｃにより、座部４に座った使用者の全身を温水のミストで包み込むように構成する。このようなミスト状のシャワーにより浴槽入浴と同等の温熱効果が得られる。
（参考例２）この例は参考例１と同様の構成に追加して、図２に示すように、シャワー装置の操作部１５を、座部４の側部に設ける。操作部１５は、温度調節のための操作バルブ１５ａや湯量を調整するための操作バルブ１５ｂや通常のハンドシャワーとシャワー装置との切り替えバルブ（図示せず）などからなる。これらのバルブは、座部４の側部に固定する。
【００２２】
このようにすれば、シャワールームにて、座った状態で、湯温や湯量の調節およびハンドシャワーへの切り替え等のシャワー浴に必要な操作が簡単にできる。
（参考例３）この例は参考例２と同様の構成に追加して、図３に示すように、シャワー浴にて実際に座るＦＲＰからなる部分に、弾力性のある部材１６をはめ込むことにより、座部４の座面を形成する構成とする。弾力性のある部材１６は、たとえば、ポリウレタン発泡体やポリエチレン発泡体で構成する。弾力性のある部材１６は、ＦＲＰからなる床部５と金具を用いて取付ける。
【００２３】
このような構成にすることにより、ＦＲＰという固い素材では座りごこちは良くないが、弾力性のある新たな部材にすることにより、臀部の座りごこちを良くすることができ、快適なシャワー浴が実現可能となる。
【００２４】
この参考例３において、弾力性のある部材１６は、床部５の座部４に取り外しができるようにはめ込み方式などで脱着可能に構成することも考えられる。
【００２５】
脱着可能に構成した場合は、座部にトラブルが発生した場合、効果的である。すなわち座部にトラブルが発生した場合、床部５自体の交換やメンテナンスになり、シャワールーム自体を解体しなくてはならないことになるが、脱着可能な構造にすることにより座部４の掃除なども容易にでき、弾力性のある部材１６の耐久寿命が来た場合でも、部材１６のみの交換で済ませることができる。
（実施例１）参考例３と同様の構成に追加して、図４に示すように、弾力性のある部材１６を座部４から取り外した部分のＦＲＰの床に点検開口１７を設ける。床部５の座部４に、部材１６より若干小さい大きさの点検開口１７を設ける。前記点検開口１７より大き目の点検蓋に、周囲に防水の為のシールテープを貼り、点検蓋を数箇所ビスを用い床部５に固定する。さらに、その上に弾力性のある部材を置く構成とする。
【００２６】
このような構成にすれば、座部４に取り外し可能な部材１６を用い、その下に点検開口１７があるので、シャワールームの見栄えとして、点検開口１７を目立たなくすることができる。そして、施工の際の給水および給湯配管などの接続が、前記点検開口１７から可能になると共に、水漏れなどのサービスメンテナンスも点検開口より安易にできる。
（実施例２）実施例１において、座部４の下部空間に設備機器を設置する。設備機器の１例として、給湯機やポンプなどがある。
【００２７】
このような構成にすることにより、座部４の下部空間は、使い道の無い無駄なスペースにすることなく、設備機器を配置することにより空間の有効利用が可能になる。
【００２８】
【発明の効果】
以上説明したように本発明の請求項１に係る発明は、座部を有し一体に成形された床部と、座部に設けた地面に接するボルトを有するアングルとにより、人が座った時の体重を支えることになり、頑強な座部を提供することができ、シャワー装置のみ壁面に取付ける構成にすることにより、壁面の取付けに必要な構成も簡易化することができる。
【００２９】
また、弾力性のある部材を座部に脱着可能にしたことにより、臀部の座りごこちを良くすることができると共に、弾力性のある部材を脱着可能にすることにより座部の掃除なども容易にでき、弾力性のある部材の耐久寿命が来た場合でも、部材のみの交換で済ませられるという効果がある。
【００３０】
また、座部には点検開口を設けてこの点検開口を覆う弾力性のある部材を座部に脱着可能にしたので、シャワールームの見栄えとして点検開口を目立たなくすることができる。そして、施工の際の給水および給湯配管などの接続が、前記点検開口から可能になると共に、水漏れなどのサービスメンテナンスも点検開口より安易することが可能になる。
【００３１】
本発明の請求項２に係る発明は、シャワールームにて、座った状態で、湯温や湯量の調節およびハンドシャワーへの切り替え等のシャワー浴に必要な操作が簡単にできるという効果がある。
【００３２】
本発明の請求項３に係る発明は、座部の下部空間は、使い道の無い無駄なスペースにすることなく、設備機器を配置することにより空間の有効利用が可能になる。
【００３３】
本発明の請求項４に係る発明は、複数のノズルで使用者の全身をミスト状に包み込むように構成することにより、通常の浴槽入浴と同等の温熱効果が得られ、かつ水圧による身体への負担も少なく快適なシャワー浴をシャワールームを提供することができる。
【図面の簡単な説明】
【図１】参考例１のシャワールームの斜視図
【図２】参考例２のシャワールームの斜視図
【図３】参考例３のシャワールームの斜視図
【図４】本発明の実施例１のシャワールームの斜視図
【図５】従来のシャワールームの正面図
【符号の説明】
４ 座部
５ 床部５
６ 壁
７ 扉
８ 天井
９ シャワー装置
１５ 操作部
１６ 弾力性のある部材
１７ 点検開口
【図１】
0004084453.tif 000002
【図２】
0004084453.tif 000003
【図３】
0004084453.tif 000004
【図４】
0004084453.tif 000005
【図５】
0004084453.tif 000006